【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
分散媒と、色調の異なる１種類以上の着色粒子（Ａ）及び色調の異なる１種類以上の着色粒子（Ｂ）を含有する表示材料を用い、電気泳動を利用して表示を行う方法において、外部から印加された一定の電界に対応して分散媒中を移動する着色粒子（Ａ）と、外部から印加された一定の電界に対しては分散媒中を移動しない着色粒子（Ｂ）とを用いて表示することを特徴とする電気泳動表示方法。
【請求項２】
該着色粒子（Ａ）が黒色粒子である請求項１に記載の電気泳動表示方法。
【請求項３】
該着色粒子（Ｂ）が白色粒子である請求項１又は２に記載の電気泳動表示方法。
【請求項４】
該着色粒子（Ａ）が黒色低次酸化チタンである請求項２記載の電気泳動表示方法。
【請求項５】
該着色粒子（Ｂ）が中空ポリマー粒子である請求項３又は４に記載の電気泳動表示方法。
【請求項６】
分散媒中に、色調の異なる１種類以上の着色粒子（Ａ）及び色調の異なる１種類以上の着色粒子（Ｂ）を含有する電気泳動表示用液において、着色粒子（Ａ）は外部から印加された一定の電界に対応して分散媒中を移動する着色粒子（Ａ）と、外部から印加された一定の電界に対しては分散媒中を移動しない着色粒子（Ｂ）とを含有することを特徴とする電気泳動表示用液。
【請求項７】
請求項６に記載の電気泳動表示用液を、マイクロカプセルに内包させたことを特徴とする電気泳動表示用粒子。
【請求項８】
一対の基板のうち、少なくとも一方の基板が片面に電極を有しており、該電極面がスペーサーを介して他方の基板と対向配置することにより形成された空間に請求項６に記載の電気泳動表示用液を充填した電気泳動表示媒体であって、少なくとも一方の基板が透明であることを特徴とする電気泳動表示媒体。
【請求項９】
一対の基板のうち、少なくとも一方の基板が片面に電極を有しており、該電極面がスペーサーを介して又は介することなく他方の基板と対向配置することにより形成された空間が、マトリックス材料によって不連続に分割されているものである請求項８に記載の電気泳動表示媒体。
【請求項１０】
一対の基板のうち、少なくとも一方の基板が片面に電極を有しており、該電極面が他方の基板とスペーサーを介して又は介することなく対向配置することにより形成された空間に、請求項７に記載の電気泳動表示用粒子を充填した電気泳動表示媒体であって、少なくとも一方の基板が透明であることを特徴とする電気泳動表示媒体。
【請求項１１】
一対の基板のうち、少なくとも一方の基板が片面に電極を有しており、該電極面が他方の基板とスペーサーを介して又は介することなく対向配置することにより形成された空間が、マトリックス材料によって不連続に分割されているものである請求項１０に記載の電気泳動表示媒体。
【請求項１２】
片面に電極を有している透明又は不透明な基板の電極面側に、請求項６に記載の電気泳動表示用液又は請求項７に記載の電気泳動表示用粒子のいずれかとマトリックス材料とからなる塗工層を形成したことを特徴とした電気泳動表示媒体。
【請求項１３】
該塗工層上に、オーバーコート層を設ける請求項１２に記載の電気泳動表示媒体。
【請求項１４】
該マトリックス材料又は該オーバーコート層が、熱硬化性樹脂及び／又は活性エネルギー線硬化樹脂からなるものである請求項９、１１、１２又は１３に記載の電気泳動表示媒体。
【請求項１５】
該表示媒体の少なくとも一部分及び／又は該オーバーコート層上の少なくとも一部分に、印刷層を設けたものである請求項８乃至１４のいずれか１項に記載の電気泳動表示媒体。
【請求項１６】
該印刷層上に印刷保護層を設けた請求項１５記載の電気泳動表示媒体。
【請求項１７】
該表示媒体が、電界の印加及びその制御以外の方法で情報の記録及び消去が可能な情報記録部を媒体中に設けたものである請求項８乃至１６のいずれか１項に記載の電気泳動表示媒体。
【請求項１８】
該情報記録部が、磁気の作用により情報記録の書き込みと読み出しが可能な記録部である請求項１７に記載の電気泳動表示媒体。
【請求項１９】
該情報記録部が、集積回路メモリー又は光メモリーである請求項１７に記載の電気泳動表示媒体。
【請求項２０】
該情報記録部が、光の作用により情報記録の読み出しが可能な記録部である請求項１７に記載の電気泳動表示媒体。
【請求項２１】
該情報記録部の情報が、表示媒体の表裏の判別を示す情報及び／又は表示媒体の位置を示す情報である請求項１７乃至２０のいずれか１項に記載の電気泳動表示媒体。
【請求項２２】
請求項８乃至２１のいずれか１項に記載の表示媒体と、該表示媒体に視認可能な情報を表示させることができる書き込み装置とからなり、該表示媒体と該書き込み装置は、少なくとも書き込み時には近接するように着脱が可能である表示装置であって、該書き込み装置は、画像信号に応じて該表示媒体に電界を作用させることができ、かつ該表示媒体との平面位置関係を相対的に変え得る機構を有する電極アレイを装備していることを特徴とする表示装置。
【請求項２３】
請求項８乃至２１のいずれか１項に記載の表示媒体と、該表示媒体に視認可能な情報を表示させることができる書き込み装置とからなり、該表示媒体と該書き込み装置は、少なくとも書き込み時には近接するように着脱が可能である表示装置であって、該書き込み装置は、画像信号に応じて該表示媒体表面に電荷を付与させることができ、かつ該表示媒体との平面位置関係を相対的に変化させ得る機構を有するイオン銃アレイを装備していることを特徴とする表示装置。
【請求項２４】
請求項８乃至２１のいずれか１項に記載の表示媒体と、該表示媒体に視認可能な情報を表示させることができる書き込み装置とからなり、該表示媒体と該書き込み装置は、少なくとも書き込み時には近接するように着脱が可能である表示装置であって、該書き込み装置は、複数の信号電極と走査電極を装備し、その交差部に画像信号に応じて表示媒体に電界を印加することのできるスイッチング素子を有し、該素子によって該表示媒体に画像を表示することを特徴とする表示装置。
【請求項２５】
該画像信号に応じて該表示媒体に電界を印加することのできるスイッチング素子が、薄膜トランジスタである請求項２４に記載の表示装置。
【請求項２６】
請求項８乃至２１のいずれか１項に記載の電気泳動表示媒体がその一部又は全ての部分を占めることを特徴とした可逆表示体。
【請求項２７】
該可逆表示体が、可逆表示カード、可逆記録シート、可逆表示ディスプレイ又は可逆表示型着板である請求項２６に記載の可逆表示体。
【請求項２８】
可逆表示カード、可逆記録シート、可逆表示ディスプレイ又は可逆表示型着板が、可撓性を有するものである請求項２７に記載の可逆表示体。
【手続補正２】
【補正対象書類名】明細書
【補正対象項目名】００１０
【補正方法】変更
【補正の内容】
【００１０】
【課題を解決するための手段】
本発明者らは、上記課題を解決するために、特に着色粒子に着目して鋭意検討を重ねた結果、電界に対応して分散媒中を移動する着色粒子と、電界に対応して分散媒中を移動しない着色粒子とを用いることによって、上記課題が解決できるということを見出し、この知見に基づいて本発明を完成するに到った。すなわち、本発明によれば、第１に、分散媒と、色調の異なる１種類以上の着色粒子（Ａ）及び色調の異なる１種類以上の着色粒子（Ｂ）を含有する表示材料を用い、電気泳動を利用して表示を行う方法において、外部から印加された一定の電界に対応して分散媒中を移動する着色粒子（Ａ）と、外部から印加された一定の電界に対しては分散媒中を移動しない着色粒子（Ｂ）とを用いて表示することを特徴とする電気泳動表示方法が提供される。この第１の発明には、該着色粒子（Ａ）が黒色粒子である電気泳動表示方法、該着色粒子（Ｂ）が白色粒子である電気泳動表示方法、該着色粒子（Ａ）が黒色低次酸化チタンである電気泳動表示方法及び該着色粒子（Ｂ）が中空ポリマー粒子である電気泳動表示方法が包含される。
【手続補正３】
【補正対象書類名】明細書
【補正対象項目名】００１６
【補正方法】変更
【補正の内容】
【００１６】
本発明によれば、第１０に、第４乃至第６のいずれか１つに記載の電気泳動表示媒体がその一部又は全ての部分を占めることを特徴とした可逆表示体が提供される。この第１０の発明には、該可逆表示体が、可逆表示カード、可逆記録シート、可逆表示ディスプレイ又は可逆表示型着板である可逆表示体、可逆表示カード、可逆記録シート、可逆表示ディスプレイ又は可逆表示型着板が、可撓性を有するものである可逆表示体が包含される。